(57)【要約】      （修正有）【課題】容器本体への蓋体の固定を簡単な操作で行うことができ、その上、確実に蓋体が固定されたことを簡単に認識できる使い勝手のよい温灸器を提供する。【解決手段】内部に罨法剤４と着火したモグサ８とが収納され、両成分の通過を可能とする透孔１３を有する容器本体１と、容器本体１に着脱自在に装着されるドーム状の蓋体３とを備える。蓋体の容器本体への当接面に相互に対向させて外方に延びる舌片３２が形成されていると共に前記舌片表面に隆起部３３が形成されている。容器本体１の相互に対向する両側に保持手段１６、１７が形成され、一方の保持手段が前記舌片の侵入を許容する開口部を有し、他方の保持手段が揺動自在に前記容器本体に取り付けられ、その先端内側に鉤状の係合部１７ｅを有する。【選択図】図２
0003144548.tif 000002
【実用新案登録請求の範囲】
【請求項１】
モグサを燃焼させ、燃焼時に生じる熱流が罨法剤を通過することでモグサ及び罨法剤の両成分が利用者の患部に作用するように構成した温灸器であって、
内部にモグサと罨法剤とが収容され、前記両成分の通過を可能とする透孔を有する容器本体と、容器本体に着脱自在に装着されるドーム状の蓋体とを備えたものにおいて、
前記蓋体の容器本体への当接面に相互に対向させて外方に延びる舌片が形成されていると共に前記舌片表面に隆起部が形成され、
前記容器本体の相互に対向する両側に保持手段が形成され、一側の保持手段が前記舌片の侵入を許容する開口部を有し、他側の保持手段が揺動自在に前記容器本体に取り付けられ、その先端内側に鉤状の係合部を有することを特徴とする温灸器。
【請求項２】
前記容器本体は、耐熱性を有する合成樹脂から一体成形したものであることを特徴とする請求項１記載の温灸器。
【請求項３】
前記容器本体の相互に対向する両側にその外方に延出させて基部を形成し、前記基部に固定バンド用の通し孔を形成したことを特徴とする請求項１または請求項２記載の温灸器。
【請求項４】
前記蓋体の外表面が、起毛した繊維で覆われていることを特徴とする請求項１乃至請求項３のいずれか１項に記載の温灸器。
【考案の詳細な説明】
【技術分野】
【０００１】
本考案は、モグサを燃焼させ、燃焼時に生じる熱流が罨法剤を通過することでモグサ及び罨法剤の両成分が効率よく利用者の患部に作用するように構成した温灸器に関する。
【背景技術】
【０００２】
従来の温灸器として、底部に複数個の透孔を形成した吸水性のあるセラミック製の容器本体と、その上部を塞ぐ蓋とを備えたものが例えば特許文献１で知られている。そして、使用時に予め容器本体に水または薬草の成分を含ませた水を吸収させた後、加熱した蓄熱材をこの容器本体内に配置し、蓋を装着して塞いだ容器本体の底部を利用者の患部に当てて使用される。
【０００３】
上記蓋は、容器本体の上部開口に塞ぐようにはめ込まれた後、紐を掛けることで容器本体から外れないように固定される。この場合、紐を輪にしてその一端を容器本体の側面に形成した突起に掛け、次いで、紐の輪をひねって蓋上の突起を挟んで紐の輪をひねり、次いで、容器本体の反対側の側面の突起に輪のもう一端を掛けるようになっている。
【０００４】
ところで、温灸器では、容器本体に着火したモグサや加熱した蓄熱剤を設置することから、その出し入れや手入れの作業性を考慮すると、蓋体が完全に容器本体から脱離できる構成が望ましい。然し、上記特許文献１記載の温灸器のように、紐を掛けて容器本体に蓋を固定するのでは、その作業が複雑かつ面倒であり、特にお年寄りにとっては使い勝手のよいものとは言えない。また、紐掛けが不十分であると、使用中に蓋が離脱するような印象を利用者が受けることから、安心して温灸器を利用できるようにするには、蓋体が確実に装着されたことを簡単に認識できるようにする必要がある。
【特許文献１】特開２００７−１４４０８２号公報
【考案の開示】
【考案が解決しようとする課題】
【０００５】
本考案は、以上の点に鑑み、容器本体への蓋体の固定を簡単な操作で行うことができ、その上、確実に蓋体が固定されたことを簡単に認識できる使い勝手のよい温灸器を提供することをその課題とする。
【課題を解決するための手段】
【０００６】
上記課題を解決するために、本考案は、モグサを燃焼させ、燃焼時に生じる熱流が罨法剤を通過することでモグサ及び罨法剤の両成分が利用者の患部に作用するように構成した温灸器であって、内部にモグサと罨法剤とが収容され、前記両成分の通過を可能とする透孔を有する容器本体と、容器本体に着脱自在に装着されるドーム状の蓋体とを備えたものにおいて、前記蓋体の容器本体への当接面に相互に対向させて外方に延びる舌片が形成されていると共に前記舌片表面に隆起部が形成され、前記容器本体の相互に対向する両側に保持手段が形成され、一側の保持手段が前記舌片の侵入を許容する開口部を有し、他側の保持手段が揺動自在に前記容器本体に取り付けられ、その先端内側に鉤状の係合部を有することを特徴とする。
【０００７】
本考案によれば、容器本体に、例えば包装した罨法剤及び着火したモグサをセットし、罨法剤及びモグサを覆うように蓋体を容器本体に装着する。容器本体への蓋体の装着は、先ず、蓋体を容器本体の上面に沿ってスライドさせながら、一側の保持手段の開口部に蓋体に形成した一方の舌片を侵入させる。そして、開口部内でスライド方向の移動が制限されると、容器本体に対して蓋体が位置決めされる。このとき、隆起部により蓋体の上下方向の移動が規制されることが好ましい。なお、蓋体をスライドさせながら舌片を開口部に侵入させる場合、舌片と開口部との間には、少なくとも隆起部の高さだけ隙間が存するようにする。
【０００８】
次いで、他側の保持手段を揺動させ、その係合部を他方の舌片に形成した隆起部で係止させる。このとき、係合部が隆起部の表面を摺動して乗り越えたとき、クリック感が生じる。これにより、相互に離脱しないように容器本体に蓋体が固定される。
【０００９】
このように本考案によれば、容器本体に蓋体を固定する場合、一方の舌片を容器本体の開口部に侵入させた後、他方の保持手段を揺動させて他方の舌片に係止するだけであるため、従来技術のように紐を縛って蓋体を固定するのと比較して、蓋体の装着作業は極めて簡単である。しかも、蓋体の装着時、クリック感が生じるため、両者が固定されたことを簡単に認識できる。その結果、お年寄りにとっても使い勝手がよく、使用中に蓋体が離脱することなく安心して使用できる温灸器が提供できる。
【００１０】
本考案においては、製造コストを低減するため、前記容器本体は、耐熱性を有する合成樹脂から一体成形したものとすればよい。
【００１１】
また、前記容器本体の相互に対向する両側にその外方に延出させて基部を形成し、前記基部に固定バンド用の通し孔を形成した構成を採用すれば、例えば、両側の通し孔に固定バンドをそれぞれ挿通させて取り付けた後、利用者の腹部、肩、膝や腰などの所望の位置（患部）に温灸器を当て、この状態で患部の周囲にバンドを掛け回してその自由端を固定することで、その位置で温灸器が保持できる。
【００１２】
ところで、蓋体が金属製等である場合、モグサの燃焼中、蓋体も加熱されるようになるが、前記蓋体の外表面が起毛した繊維で覆われていれば、利用者が蓋体に触れたときに起毛した繊維がクッションとなることで、蓋体の実際の温度より体感温度を低くできてよい。
【考案を実施するための最良の形態】
【００１３】
以下、図面を参照して、モグサを燃焼させ、燃焼時に生じる熱流が罨法剤を通過することでモグサ及び罨法剤の両成分が効率よく利用者の患部に作用するように構成した本実施の形態の温灸器Ｈを説明する。図１乃至図３に示すように、温灸器Ｈは、容器本体１と、この容器本体１内でモグサを保持するモグサ受け手段２と、モグサ受け手段２を覆うように容器本体１に着脱自在に装着される蓋体３とから構成されている。
【００１４】
容器本体１は、耐熱性を有する公知の合成樹脂から平面視略長円形状に一体成形されたものである（図３参照）。容器本体１の上面１１は段付きの平坦な形状を有し、上面１１の一段下がった周縁部が蓋体３の下面が着座する座面を構成する。また、容器本体１の下面１２は、その中央領域が窪むように湾曲した形状を有し（図１参照）、容器本体１の下面１２を利用者の患部に当てたとき、上記両成分が効率よく利用者の患部に作用するようにしている。
【００１５】
容器本体１の中央領域には断面視長円形状の透孔１３が開設され、透孔１３には、枠体１４が格子状に形成され、例えば不織布で梱包された公知の罨法剤４が収容されるようになっている。また、容器本体１の一段高い上面には、透孔１３の周囲に位置させて所定の高さの支持壁１５が形成され、モグサ受け手段２が、後述の支持枠を介して吊設される。また、支持壁１５には、所定の間隔を存して上下方向に延びるスリット１５ａが形成され、後述のように蓋体３の空気孔から取り入れた燃焼用の空気がモグサに供給されるようにしている。
【００１６】
モグサ受け手段２は、耐熱性を有する合成樹脂からなる環状の支持枠２１を備える。支持枠２１の上面には、支持壁１５の上面に当接するフランジ部２１ａが形成され、その側面にもまた、空気取り入れ用の空気孔２１ｂが列設されている。支持枠２１の底部には、例えば耐熱性を有すると共に熱流の通過を許容する材料、例えば第１のグラスウール５ａがその底部全体に亘って敷設される。第１のグラスウール５ａ上には、この第１のグラスウール５ａと略同一面積のメッシュ部材６が設置され、その上側には更に第２のグラスウール５ｂが敷設される。そして、支持枠２１内に環状の押え部材７が嵌着され、上下に積層された第１のグラスウール５ａ、メッシュ部材６及び第２のグラスウール５ｂが保持される（図２及び図３参照）。
【００１７】
第２のグラスウール５ｂ上には、モグサ８が設置され、蓋体３を容器本体１に装着する前に、着火される。モグサ８としては、公知の加工法でモグサと炭素質粉とを混合して棒状に固形化した所謂無煙モグサが用いられる。
【００１８】
蓋体３は、例えば金属鋼板をドーム状に成形したものである。この場合、蓋体３の外周面は、持ち易いように角部のない丸みを帯びた流線形状に成形されている（図３参照）。また、蓋体３の外表面には、その全面に亘って公知の起毛した合成繊維が植設され（図示せず）、このように外表面を起毛した合成繊維で覆うことで、使用中に利用者が蓋体に触れたときに当該起毛した繊維がクッションとなって、蓋体の実際の温度より体感温度が低くなるようにしている。
【００１９】
また、蓋体３の内表面には、蓋体３の裏面に着脱自在なリング状の押え板９を介して第３のグラスウール５ｃが取り付けられている。この場合、蓋体３の下部開口を上側にして設置した後、蓋体３の内面にグラスウール５ｃを敷設し、その上に押え板９を設置する。このとき、押え板９の外周面を蓋体３の内面に形成した突起３ａに係合させ、そして、押え板９の長手方向一側に回転自在に設けた止め部材９ａを回転させて他の突起３ｂに係合させることで、蓋体３の開口面を下側にして容器本体１に装着するときでもグラスウール５ｃが蓋体３の内面に保持され、蓋体３を容器本体１に装着すると、モグサ８が第２及び第３のグラスウール５ｂ、５ｃとで覆われる。また、蓋体３の所定の位置には、複数の円形開口３１が列設され、モグサ８の燃焼に必要な空気が取り入れられるようになっている。
【００２０】
本実施の形態の温灸器Ｈでは、上記構成を有することで容器本体１への罨法剤４やモグサ８の設置の作業性がよい。但し、燃焼しているモグサ８を配置していることから、安心して温灸器Ｈを利用できるようにするには、容器本体１への蓋体３の装着操作が簡単であるだけでなく、確実に装着されたことを簡単に認識できるようにする必要がある。
【００２１】
本実施の形態では、蓋体３の容器本体１への当接面で長手方向両側に舌片３２がそれぞれ形成され、また、各舌片３２上面の所定の位置には、凸状の隆起部３３が形成されている。他方で、容器本体１には、蓋体３の舌片３１の位置に対応させて保持手段１６、１７が形成されている。片側の保持手段１６は、容器本体１の下面から水平に延びる基部１６ａと、基部１６ａから垂直に立設された保持部１６ｂとから構成され、保持部１６ｂには、舌片３２の侵入を許容する開口部１６ｃが形成されている。
【００２２】
他側の保持手段１７は、容器本体１の下面から水平に延びる基部１７ａと、基部１７ａに所定の間隔を存して立設された２個のフレーム１７ｂと、両フレーム１７ｂ間に設けられたアーム部１７ｃとを備える。アーム部１７ｃは合成樹脂製であり、その上端内側には鉤状部材１７ｄ（係合部）が形成されている。また、アーム部の下端には、断面Ｃ状の軸部１７ｅが形成され、フレーム１７ｂの下端部に形成した収納空間１７ｆにその軸部１７ｅを弾性変形させて嵌め込まれ、軸部１７ｅを支点としてアーム部１７ｃが揺動自在となる。この場合、軸部１７ｅは、アーム部１７ｃを揺動させて鉤状部材１７ｄを隆起部３３に係止するときにスプリングの役割を果たすようになる。さらに、両基部１６ａ、１７ａには、スリット状の孔１８がそれぞれ開設され、固定用バンドが挿通できるようになっている。
【００２３】
次に、本実施の形態の温灸器Ｈの組付を説明する。先ず、容器本体１の透孔１３内に罨法剤４を設置した後、支持枠２１に第１のグラスウール５ａ、メッシュ部材６及び第２のグラスウール４ｂの順で積層させて設置し、上側から押え部材７を嵌着し、この状態で、支持壁１５で吊設されるように容器本体１にセットする。他方で、蓋体３の内面にグラスウール５ｃを敷設し、押え板９で保持して蓋体３をセットする。なお、通常の使用状態では、モグサ受け手段２や蓋体３は組付けられたままであり、定期的な手入れの際にのみ分解され、必要に応じてグラスウールが交換される。
【００２４】
次いで、固形のモグサ８に着火した後、第２のグラスウール５ｂ上に設置する。そして、容器本体１に蓋体３を装着する。容器本体１への蓋体３の装着は、アーム部１７ｅが容器本体１から離間した位置にある状態で容器本体１の座面に蓋体３を設置し、蓋体３を容器本体１の上面に沿ってスライドさせて、保持手段１６の開口部１６ｃに一方の舌片３２を侵入させる。そして、開口部１６ｃ内でスライド方向の移動が制限されると、容器本体１に対して蓋体３が位置決めされる。このとき、隆起部３３により蓋体３の上下方向の移動が規制される。
【００２５】
次いで、他方の保持手段１７のアーム部１７ｃを揺動させて鉤状部材１７ｄが隆起部３３で係止する。このとき、利用者が力を加えてアーム部１７ｃを揺動させていくと、鉤状部材１７ｄが隆起部３３の表面を摺動して乗り越えたときにクリック感が生じる。これにより、相互に離脱しないように容器本体１に蓋体３が固定される。
【００２６】
最後に、両側の通し孔１８に固定バンドＢをそれぞれ挿通させて取り付けた後、利用者の腹部、肩、膝や腰などの所望の位置（患部Ｐ）に布等を介して温灸器Ｈを当て、この状態で患部の周囲にバンドを掛け回し、バンドに設けたベルベットファスナー等（図示せず）により固定することで、その位置で温灸器Ｈを保持させる（図４参照）。
【００２７】
このように本考案によれば、容器本体１に蓋体３を固定する場合、一方の舌片３２を容器本体１の開口部１６ｃに侵入させた後、他側の保持手段１７のアーム部１７ｃを揺動させて他方の舌片３２の隆起部３３に係止するだけであるため、従来技術のように紐を縛って蓋体を固定するのと比較して、蓋体３の装着作業は極めて簡単である。しかも、蓋体３の装着時にクリック感が生じるため、両者が固定されたことを簡単に認識できる。その結果、お年寄りとっても使い勝手がよく、使用中に蓋体が離脱することなく安心して使用できる温灸器Ｈが提供できる。
【００２８】
尚、本実施の形態では、一方の保持手段のみを揺動自在に形態したものを例に説明したが、両側の保持手段が揺動自在となる構造を採用し、蓋体３を容器本体１の上面に設置して、両保持手段で蓋体を固定するようにしてもよい。
【図面の簡単な説明】
【００２９】
【図１】本考案の温灸器を説明する正面図。
【図２】本考案の温灸器の内部構造を説明する断面図。
【図３】本考案の温灸器の組付を説明する分解斜視図。
【図４】本考案の温灸器の使用例を示す図。
【符号の説明】
【００３０】
１  容器本体
１３  透孔
１６、１７  保持手段
１７ｃ  アーム部
１７ｄ  鉤状部材（係合部）
１８  固定バンド用通し孔
２  モグサ受け手段
３  蓋体
３２  舌片
３３  隆起部
４  罨法剤
８  無煙モグサ
【図１】
0003144548.tif 000003
【図２】
0003144548.tif 000004
【図３】
0003144548.tif 000005
【図４】
0003144548.tif 000006